(57)【要約】      （修正有）【課題】バーなどを把持して使用する仕方と机などに置いて使用する仕方との切り替えが容易な扇風機を提供することにある。【解決手段】スタンド兼用のクリップ部１と、このクリップ部に設けられた支柱部２と、この支柱部の先端に設けられた送風部３とを備えている。クリップ部１は、回動軸Ｒに連結している第１の連結部を有し机などに置ける略水平な第１のクリップ片１１を有する。さらに回動軸Ｒに連結している第２の連結部を有し第１のクリップ片１１に対して斜めに設けられた第２のクリップ片１２を有する。そして第１のクリップ片１１と第２のクリップ片１２とが互いに回動軸Ｒを回動自在に連結して、クリップ部１が形成されている。支柱部２は、第２のクリップ片１２の上端面から立設している。【選択図】図１
2013241877.tif 000002
【特許請求の範囲】
【請求項１】
スタンド兼用のクリップ部と、当該クリップ部と一方端が接合された支柱部と、当該支柱部の他方端に設けられた送風部とを備え、
前記クリップ部は、回動軸に連結している第１の連結部を有する略水平な第１のクリップ片と、当該回動軸に連結している第２の連結部を有し当該第１のクリップ片に対して斜めに設けられた第２のクリップ片とが互いに回動自在に連結して構成され、
前記支柱部は、前記第２のクリップ片の上端面に立設している
ことを特徴とする扇風機。
【請求項２】
前記第１のクリップ片の下端面が略水平面上に接するように置かれた状態において、
前記支柱部は、略鉛直に前記第２のクリップ片の上端面に立設している
ことを特徴とする請求項１に記載の扇風機。
【請求項３】
前記第１のクリップ片は、円形の筐体である
ことを特徴とする請求項１又は２に記載の扇風機。
【請求項４】
前記送風部は、羽を回転させるモータの駆動を制御する制御部を備え、
前記制御部は、前記第１のクリップ片の内部に配置された電力供給部と導線でつながっており、
前記導線は、前記電力供給部が配置された前記第１のクリップ片の内側、当該第１のクリップ片と前記第２のクリップ片との間に設けられ当該導線の配線状態を外部から見えなくする導線カバー部、前記第２のクリップ片の内側及び前記支柱部の内側に配線されている
ことを特徴とする請求項１乃至３のいずれか１項に記載の扇風機。
【請求項５】
前記導線カバー部は、前記第１の連結部及び前記第２の連結部で構成され、
前記第１の連結部は、前記回動軸と連結している第１の連結部材と、当該第１の連結部材と当該回動軸の長手方向に隣接し、かつ当該回動軸に連結していない第１の非連結部材とを有し、
前記第２の連結部は、前記回動軸と連結している第２の連結部材と、当該第２の連結部材と当該回動軸の長手方向に隣接し、かつ当該回動軸に連結していない第２の非連結部材とを有し、
前記第１の連結部材と前記第２の連結部材とは、前記回動軸と連結している部分で当該回動軸の長手方向に隣接し、
前記第１の非連結部材と前記第２の連結部材とは、前記回動軸の長手方向と直交する方向に隣接し、
前記第１の連結部材と前記第２の非連結部材とは、前記回動軸の長手方向と直交する方向に隣接し、
前記第１の連結部材及び前記第２の非連結部材の内側には、前記導線が配線される凹溝が設けられている
ことを特徴とする請求項４に記載の扇風機。
【請求項６】
前記送風部は、前記支柱部の前後方向に回動可能に設けられており、
前記支柱部は、前記送風部の回動角度を制限する角度制限部を有する
ことを特徴とする請求項１乃至５のいずれか１項に記載の扇風機。
【請求項７】
前記送風部は、コネクタを介して前記支柱部に設けられており、
前記コネクタは、前記支柱部の先端が挿入する左右のコネクタ片を有し、
前記角度制限部は、前記支柱部の先端の左右に設けた切り欠き部と、当該切り欠き部の端部に設けた段差部とで構成され、
前記コネクタ片は、前記送風部の前後方向の回動時に前記段差部に当たる
ことを特徴とする請求項１乃至６のいずれか１項に記載の扇風機。
【請求項８】
前記第１のクリップ片及び前記第２のクリップ片の外周縁には、リング状のクッション部材が設けられている
ことを特徴とする請求項１乃至７のいずれか１項に記載の扇風機。
【請求項９】
前記クリップ部の挟持部分には、弾性部材が設けられている
ことを特徴とする請求項１乃至８のいずれか１項に記載の扇風機。
【請求項１０】
前記送風部は、回転する羽をカバーする羽カバー部を備え、
前記羽カバー部は、表側の中央部分に芳香剤収納部を有する
ことを特徴とする請求項１乃至９のいずれか１項に記載の扇風機。
【発明の詳細な説明】
【技術分野】
【０００１】
本発明は、例えばバーや棚に把持するクリップを有する扇風機に関し、さらに詳しくはクリップそのものがスタンドになる構造、このクリップの構造を活かした電気系統及び使用中に落下や転倒しない安定機能を有する扇風機に関するものである。
【背景技術】
【０００２】
従来から、例えば部屋や工場施設の壁や天井に取り付けたり宙吊りにしたりして設置する扇風機が多数存在していた。これらは一度設置すると取り外しし難い固定タイプのものであり、レイアウトの変更や人員配置の変更が発生した場合、取り外して新たな場所に再設置する作業が発生していた。一方、スタンドを有する起立タイプのものは、ユーザの近くに置くスペースの確保が必要であり、狭いところで活動する者にとっては使い難かった。このため近年では、着脱が容易で、かつ小スペースでも使える小型の扇風機が注目されてきた。
【０００３】
そこで支柱の先端に設けた扇風機本体を支持するクリップを備えた扇風機であって、このクリップを挿入するスタンドを別部品として用意し、このスタンドにこのクリップを挿入してビスなどで固定することにより起立タイプのものに変更することができる発想（例えば特許文献１参照。）が提案されている。
【先行技術文献】
【特許文献】
【０００４】
【特許文献１】特開２００２−２２１１８５号
【発明の概要】
【発明が解決しようとする課題】
【０００５】
しかしながら上述した従来における扇風機は、スタンド兼用のクリップを備えたものではない。すなわち別部品のスタンドを取り付けなければ、起立タイプの扇風機として使用することができない。したがって取付金具を介してスタンドをクリップに設けたり、この取付金具を設けるビス穴などをクリップに開口したりしなければならず、複雑な構造になってしまう。さらにスタンドなどの製造コストが嵩むばかりでなく、バーなどにクリップで挟んで使用する仕方と机などに起立させて使用する仕方との切り替えに手間が掛かる。
【０００６】
本来、利用者は暑さを感じれば即座に扇風機を使いたくなるはずである。しかしながら扇風機を使用する場所が制限されたり使用するまでに時間が掛かったりすると、ユーザにとって扇風機で暑さからの不快感を払拭したい願望が失われてしまう可能性がある。すなわち扇風機を設ける場所を探したり確保したりすることばかりでなく、この扇風機を使用できるようにセッティングすることの煩わしさは、ユーザにとって暑さからの不快感より耐えられないものになる恐れがある。これでは扇風機の役割を果たすことにはならず、ひいてはユーザの健康を害する危険性がある。したがって扇風機は、使用する場所を限定されないのみならず、この場所に応じて使用の仕方を臨機応変に切り替えられる構造を有するべきである。
【０００７】
また使用する場所や使用の仕方を臨機応変に切り替えるには、デザイン性を鑑みたスタイリッシュな形状でなければならない。すなわちクリップ部分と羽やモータなどを備えた送風部分との形状のバランスのみならず、送風部分を駆動させるために配線する導線などの電気系統を考慮しなければ、使用する場所や使用の仕方が限定されるばかりでなく、見場も悪くなる。このためユーザは身体的に不快感を払拭できても、精神的な不快感を感じてしまう恐れがある。したがって扇風機は、使用上の障害にならない電気系統を有するべきである。
【０００８】
また使用する場所や使用の仕方を臨機応変に切り替えるには、任意に送風角度を変更できるものでなければならない。すなわちユーザが前後左右に移動した場合、その都度扇風機本体を移動させたり向きを変えたりすると手間が掛かる。さらに送風角度を変更したことにより、扇風機の重心がずれてバーなどから落下したり机上などで転倒したりする恐れもある。しかしながらデザイン性を鑑みたスタイリッシュな形状を実現させるには、複雑な機能や装置を別途設けることは相応しくない。したがって扇風機は、シンプルかつユーザの注意力を必要としない送風角度の制限機能を有するべきである。
【０００９】
そこで本発明の第１の目的は、バーなどを把持して使用する仕方と机などに置いて使用する仕方との切り替えが容易な扇風機を提供することにある。
【００１０】
また本発明の第２の目的は、電気系統などで使用する場所や仕方が制限されないスタイリッシュな形状の扇風機を提供することにある。
【００１１】
また本発明の第３の目的は、送風角度の変更に対して安定した使用状態を維持できる扇風機を提供することにある。
【課題を解決するための手段】
【００１２】
上記課題を解決するために本発明による扇風機の特徴は、バーや棚の端部を挟持するクリップ部そのものがスタンドの役割も果たす構造を有することにある。また本発明による扇風機の他の特徴は、クリップ部を含む扇風機全体の構造を活かした電気系統を有することにある。また本発明による扇風機の他の特徴は、シンプルな構造で送風角度を制限する機能を有することにある。
【００１３】
すなわち本発明による扇風機は、スタンド兼用のクリップ部と、当該クリップ部と一方端が接合された支柱部と、当該支柱部の他方端に設けられた送風部とを備え、前記クリップ部は、回動軸に連結している第１の連結部を有する略水平な第１のクリップ片と、当該回動軸に連結している第２の連結部を有し当該第１のクリップ片に対して斜めに設けられた第２のクリップ片とが互いに回動自在に連結して構成され、前記支柱部は、前記第２のクリップ片の上端面に立設している。
【００１４】
また前記第１のクリップ片の下端面が略水平面上に接するように置かれた状態において、前記支柱部は、略鉛直に前記第２のクリップ片の上端面に立設していることが望ましい。
【００１５】
また前記第１のクリップ片は、円形の筐体であることが望ましい。
【００１６】
また前記送風部は、羽を回転させるモータの駆動を制御する制御部を備え、前記制御部は、前記第１のクリップ片の内部に配置された電力供給部と導線でつながっており、前記導線は、前記電力供給部が配置された前記第１のクリップ片の内側、当該第１のクリップ片と前記第２のクリップ片との間に設けられ当該導線の配線状態を外部から見えなくする導線カバー部、前記第２のクリップ片の内側及び前記支柱部の内側に配線されていることが望ましい。
【００１７】
また前記導線カバー部は、前記第１の連結部及び前記第２の連結部で構成され、前記第１の連結部は、前記回動軸と連結している第１の連結部材と、当該第１の連結部材と当該回動軸の長手方向に隣接し、かつ当該回動軸に連結していない第１の非連結部材とを有し、前記第２の連結部は、前記回動軸と連結している第２の連結部材と、当該第２の連結部材と当該回動軸の長手方向に隣接し、かつ当該回動軸に連結していない第２の非連結部材とを有し、前記第１の連結部材と前記第２の連結部材とは、前記回動軸と連結している部分で当該回動軸の長手方向に隣接し、前記第１の非連結部材と前記第２の連結部材とは、前記回動軸の長手方向と直交する方向に隣接し、前記第１の連結部材と前記第２の非連結部材とは、前記回動軸の長手方向と直交する方向に隣接し、前記第１の連結部材及び前記第２の非連結部材の内側には、前記導線が配線される凹溝が設けられていることが望ましい。
【００１８】
また前記送風部は、前記支柱部の前後方向に回動可能に設けられており、前記支柱部は、前記送風部の回動角度を制限する角度制限部を有することが望ましい。
【００１９】
また前記送風部は、コネクタを介して前記支柱部に設けられており、前記コネクタは、前記支柱部の先端が挿入する左右のコネクタ片を有し、前記角度制限部は、前記支柱部の先端の左右に設けた切り欠き部と、当該切り欠き部の端部に設けた段差部とで構成され、前記コネクタ片は、前記送風部の前後方向の回動時に前記段差部に当たることが望ましい。
【００２０】
また前記第１のクリップ片及び前記第２のクリップ片の外周縁には、リング状のクッション部材が設けられていることが望ましい。
【００２１】
また前記クリップ部の挟持部分には、弾性部材が設けられていることが望ましい。
【００２２】
また前記送風部は、回転する羽をカバーする羽カバー部を備え、前記羽カバー部は、表側の中央部分に芳香剤収納部を有することが望ましい。
【００２３】
ここで「クリップ部」は、例えばバーや棚の端を把持するばかりでなく、例えば机に置いたときにメモなどを挟んでもよい。また「クリップ部」は、バネ式のみならずネジ式やアジャスターで締め付けるものでもよい。「支柱部」が立設している位置は、第２のクリップ片の上端面中心からやや上方など扇風機本体が転倒しない位置をいずれも含む。立設している「支柱部」の角度は、略鉛直であっても斜めであってもよい。「支柱部」の形状は、円柱に限らず角柱でもよく、直線状のものや屈曲状のものを含む。「送風部」は、回転する羽があってもなくてもよい。「第１のクリップ片」及び「第２のクリップ片」は、筐体など内側が空間になっているものが該当する。「第１のクリップ片」及び「第２のクリップ片」の形状は、円形に限らず矩形でもよく、縦横比が同一のものが好ましい。「略水平面」とは、床、机、棚又は台などの面が該当する。
【００２４】
「第１の連結部」や「第２の連結部」は、第１のクリップ片や第２のクリップ片に一体的に成型されたものに限らず、接着剤などで固定されたものも該当する。「第１の連結部材」及び「第１の非連結部材」や「第２の連結部材」及び「第２の非連結部材」は、接着剤などでそれぞれ接着して設けても、接着せず別々に設けてもよい。
【００２５】
「電力供給部」は、例えば乾電池やバッテリーに限らず、ＵＳＢケーブルでコンピュータに接続し電力を供給するものも該当する。「導線カバー部」は、第１のクリップ片及び第２のクリップ片に連結し導線が外部から見えなくするものを意味し、これに該当するものはすべて含む。
【００２６】
「角度制限部」は、切り欠き部に限らず、支柱部の先端の左右に設けた突出部又は支柱部の中央に設けた凹部で構成されていてもよい。角度制限部が凹部で構成される場合、コネクタは左右のコネクタ片を有する必要はない。「段差部」の高低差に限定はない。コネクタ片が「送風部の前後方向の回動時に段差部に当たる」とは、コネクタ片の前後の角部がぶつかりこれ以上回動できないことを意味する。
【００２７】
「クッション部材」とは、ゴム素材、スポンジ素材又はタオル素材など衝撃を緩和・吸収する素材の全てが含まれる。「弾性部材」とは、例えばゴム素材が該当し、挟持したときに滑り難くしたり挟持したものに傷がつかないようにしたりするものを意味する。
【発明の効果】
【００２８】
本発明による扇風機は、スタンド兼用のクリップ部を構成する第１のクリップ片が略水平に設けられていると共に、この第１のクリップ片に対して第２のクリップ片が斜めに設けられ、この第２のクリップ片の上端面に支柱部が立設していることにより、机や台などに置いても安定した起立状態を維持することができる。すなわちクリップ部が挟持するバーなどが無い場所においても、手軽に机などに置いて送風することができる。したがって例えば立ちながらキッチンで料理する主婦が棚にクリップ部で把持して使用する仕方ばかりでなく、この主婦がデスクワークや勉強するときに机などに置いて使用する仕方への切り替えが容易となる。
【００２９】
また第１のクリップ片の下端面が略水平面上に接するように置かれた状態において、支柱部が略鉛直に前記第２のクリップ片の上端面に立設していることにより、安定した起立状態を維持することができる。
【００３０】
また第１のクリップ片が円形の筐体であることにより、机などで使用する仕方における起立時の安定性が増す。また筐体内に乾電池などの電力供給源を配置させることにより、これが重しとなってさらに安定性が増す。さらにユーザにとっては持ち易いばかりでなく、見場が良くなるスタイリッシュな形状を実現することができる。
【００３１】
また送風部に備えたモータの駆動を制御する制御部が第１のクリップ片の内部に配置された電力供給部から電力を供給する導線は、この第１のクリップ片の内側、この第１のクリップ片と第２のクリップ片との間に設けられ導線の配線状態を外部から見えなくする導線カバー部、この第２のクリップ片の内側及び支柱部の内側に配線されていることにより、この導線が外側に配線されず見えないようにすることができる。すなわちバーなどに挟持したり机などに置いたりするときに配線が障害となって使用する場所や仕方が制限されることはないばかりでなく、見場が良くなるスタイリッシュな形状を実現することができる。
【００３２】
また導線カバー部が第１の連結部及び第２の連結部で構成されており、この第１の連結部は、回動軸と連結している第１の連結部材と、この第１の連結部材とこの回動軸の長手方向に隣接し、かつこの回動軸に連結していない第１の非連結部材とを有し、第２の連結部は、この回動軸と連結している第２の連結部材と、この第２の連結部材とこの回動軸の長手方向に隣接し、かつこの回動軸に連結していない第２の非連結部材とを有し、この第１の連結部材とこの第２の連結部材とは、この回動軸と連結している部分でこの回動軸の長手方向に隣接し、この第１の非連結部材とこの第２の連結部材とは、この回動軸の長手方向と直交する方向に隣接し、この第１の連結部材とこの第２の非連結部材とは、この回動軸の長手方向と直交する方向に隣接し、この第１の連結部材及びこの第２の非連結部材の内側には、導線が配線される凹溝が設けられていることにより、既設の部材を利用して導線が外側から見えないように配線することができる。すなわち第１の連結部材と第２の連結部材の表面積を活かすと共に、この第１の連結部材に隣接する第１の非連結部材及びこの第２の連結部材に隣接する第２の非連結部材とでそれぞれ導線を覆うカバーを構成し、この第１の連結部材及びこの第２の非連結部材の内側に凹溝を設けて導線の通路を形成することで、最小限の部材で外側から見えないように配線通路を確保することができる。
【００３３】
また送風部が支柱部の前後方向に回動可能に設けられており、この支柱部がこの送風部の回動角度を制限する角度制限部を有することにより、送風部が前後方向に傾き過ぎることを防止することができる。すなわち送風部の前後方向の回動により重心がずれても、バーなどを挟持し切れず落下したり机上で倒れたりすることはない。したがって所望の角度から送風することができるばかりでなく、ユーザの注意力に依存しない安定した使用状態を維持できる。
【００３４】
また送風部がコネクタを介して上記支柱部に設けられており、このコネクタがこの支柱部の先端が挿入する左右のコネクタ片を有し、上記角度制限部がこの支柱部の先端の左右に設けた切り欠き部と、この切り欠き部の端部に設けた段差部とで構成され、このコネクタ片がこの送風部の前後方向の回動時にこの段差部に当たることにより、シンプルな構造で角度制御部を設け所望の角度から送風する構造を実現することができる。すなわち扇風機がバーなどを挟持し切れず落下したり机上で倒れたりしないように回動角度をユーザ自ら意識することなく、コネクタ片が段差部に当たるまで角度を変更することができる。
【００３５】
また第１のクリップ片及び第２のクリップ片の外周縁にリング状のクッション部材が設けられていることにより、.それぞれのクリップ片の破損を防ぐことができる。すなわち
万が一扇風機がバーなどを挟持し切れず落下したり机上で倒れたりしても、クッション部材が落下や転倒により受ける衝撃を吸収することができる。さらにクリップ部などとは異なる色のクッション部材を設けることにより、複数色の色合いを演出することができる。
【００３６】
またクリップ部の挟持部分に弾性部材が設けられていることにより、挟持力を強化することができる。すなわち凹凸があったり段差があったりして把持し難い形状のバーや棚などであっても、確実に把持して落下し難いばかりでなく、このバーなどが傷付かないようにすることができる。
【００３７】
また送風部が回転する羽をカバーする羽カバー部を備え、この羽カバー部が表側の中央部分に芳香剤収納部を有することにより、この芳香剤収納部を通過した香りある送風を供給することができる。すなわち送風で体感温度を下げ不快感を払拭するのみならず、香りで精神的な不快感を払拭し、心身ともにリラックスさせることができる。
【図面の簡単な説明】
【００３８】
【図１】本発明の一実施形態における扇風機の正面図である。
【図２】本発明の一実施形態における扇風機の背面図である。
【図３】本発明の一実施形態における扇風機の側面図ある。
【図４】本発明の一実施形態における扇風機の一部拡大図及び断面図である。
【図５】本発明の一実施形態における扇風機の一部拡大図である。
【図６】本発明の一実施形態における扇風機の背面斜視図ある。
【発明を実施するための形態】
【００３９】
以下図１〜図６を参照しつつ、本発明による扇風機の構成及び動作を説明する。図１は扇風機を机などに置いた状態を正面からみたもの、図２はこの扇風機を背面から見たもの、図３はこの扇風機の左側から見たもの、図４は図２の点線部の拡大図及びこの拡大図の断面図、図５は図３の点線部の拡大図を示す。なお図６は、この扇風機の背面斜視図を示すが、各部位は他の図と同じため付番を省略する。
【００４０】
さて図１及び図２に示すように、本実施形態における扇風機は、スタンド兼用のクリップ部１と、このクリップ部に設けられた支柱部２と、この支柱部の先端に設けられた送風部３とを備えている。クリップ部１は、回動軸Ｒに連結している第１の連結部１３を有し台や机の上に置ける略水平な第１のクリップ片１１を有する。さらに回動軸Ｒに連結している第２の連結部１４を有し第１のクリップ片１１に対して斜めに設けられた第２のクリップ片１２を有する。そして第１のクリップ片１１と第２のクリップ片１２とが互いに回動軸Ｒを回動自在に連結して、クリップ部１が形成されている。支柱部２は、第２のクリップ片１２の上端面中心からやや上方から略鉛直に立設している。
【００４１】
第１のクリップ片１１及び第２のクリップ片の形状は、円形である。さらに第１のクリップ片１１は、内部に単三電池４本を配置させる筐体である。
【００４２】
なお支柱部２の内側と第２のクリップ片１２の内側とはつながっている。クリップ部１はバネ式であり、第１のクリップ片１１及び第２のクリップ片１２の後側の把持部分が把持されると、この第１のクリップ片及び第２のクリップ片が回動して前側の挟持部分が開く。また把持が終了すると、第１のクリップ片１１及び第２のクリップ片１２がバネの反力で自動的に閉じる。第１のクリップ片１１の裏面には滑り止め部材が設けてある。
【００４３】
送風部３は、回転する羽を被う羽カバー部３１と、この羽を回転させるモータの駆動を制御する制御部３２とを備えている。制御部３２は、第１のクリップ片１１の内部に配置された電力供給部Ｅと導線Ｃでつながっている。導線Ｃは、電力供給部Ｅに配置された第１のクリップ片１１の内側、この第１のクリップ片と第２のクリップ片１２との間に設けられ配線状態を外部から見えなくする導線カバー部１５、この第２のクリップ片の内側及び支柱部２の内側に配線されている。
【００４４】
なお制御部３２は、後側の端部が球面な円筒型の筐体と、この筐体に配置されたモータと、このモータのＯＮ−ＯＦＦ及び回転速度をコントロールする回路基板とで構成されている。第２のクリップ片１２の表面には、モータをＯＮ−ＯＦＦするスイッチＳ１が設けてある。制御部３２の上端には、モータの回転速度をコントロールする調節摘みＳ２が設けてある。電力供給部Ｅは、例えば単三電池４本で構成してもよいが、ＵＳＢケーブルを電源コネクタＵに接続して制御部３２に電力を供給してもよい。導線Ｃは、単数本でも複数本でもよい。
【００４５】
ここで導線カバー部１５について、図４を用いて説明する。図４（ａ）は図２の点線部の拡大図、図４（ｂ）はこの図４（ａ）の断面Ｘ−Ｘを示す断面図、図４（ｃ）は図４（ｂ）においてクリップ部を把持した後の断面図を示す。
【００４６】
図４（ａ）に示すように、導線カバー部１５は、第１の連結部１３及び第２の連結部１４とで構成されている。第１の連結部１３は、回動軸Ｒと連結している第１の連結部材１３ａと、この第１の連結部材とこの回動軸の長手方向に隣接し、かつこの回動軸に連結していない第１の非連結部材１３ｂとを有する。第２の連結部１４は、回動軸Ｒと連結している第２の連結部材１４ａと、この第２の連結部材とこの回動軸の長手方向に隣接し、かつこの回動軸に連結していない第２の非連結部材１４ｂとを有する。第１の連結部材１３ａと第２の連結部材１４ａとは、回動軸Ｒと連結している部分でこの回動軸の長手方向に隣接している。第１の非連結部材１３ｂと第２の連結部材１４ｂとは、回動軸Ｒの長手方向と直交する方向に平行に隣接している。第１の連結部材１３ａと第２の非連結部材１４ｂとは、回動軸Ｒの長手方向と直交する方向に平行に隣接している。第１の連結部材１３ａ及び第２の非連結部材１４ｂの内側には、導線Ｃが配線される凹溝が設けられている。
【００４７】
第１の連結部材１３ａ及び第２の連結部材１４ａの形状は、先端が円形の台形である。第１の非連結部材１３ｂ及び第２の非連結部材１４ｂの形状は、先端が湾曲した台形である。第１の連結部材１３ａの先端と第２の非連結部材１４ｂの先端及び第２の連結部材１４ａの先端と第１の非連結部材１３ｂの先端は、それぞれ一致することが好ましい。また第１の連結部材１３ａと第１の非連結部材１３ｂ及び第２の連結部材１４ａと第２の非連結部材１４ｂは、先端を除いて同一形状かつ同一の表面積であることが好ましい。したがって第１の連結部１３及び第２の連結部１４の内側は、隣接する第１の連結部材１３ａ及び第２の非連結部材１４ｂと、第１の非連結部材１３ｂ及び第２の連結部材１４ｂとにより、外側から見えない。
【００４８】
図４（ｂ）に示すように、第１の連結部材１３ａ及び第２の非連結部材１４ｂの内側に設けられている凹溝は、それぞれ端部を貫通している。すなわち回動軸Ｒの長手方向と直交する方向に上下に隣接している第１の連結部材１３ａと第２の非連結部材１４ｂとが、第１のクリップ片１１の内側と第２のクリップ片１２の内側とを繋ぐ通路を形成している。これにより第１のクリップ片１１の内側に配線された導線Ｃは、第１の連結部材１３ａの下端から凹溝を通って先端を抜け、第２の非連結部材１４ｂの先端から凹溝を通って下端を抜けて第２のクリップ片１２の内側に配線される。
【００４９】
また図４（ｃ）に示すように、クリップ部を把持した場合、第２のクリップ片が回動軸Ｒを回動するため第２の非連結部材１４ｂも回動する。このとき導線Ｃは回動する第２の非連結部材１４ｂに伴って左にずれる。したがってクリップ部の挟持動作が導線Ｃの配線状態に悪影響を及ぼすことはない。
【００５０】
なお図４（ｂ）及び図４（ｃ）では、第１の非連結部材１３ｂ及び第２の連結部材１４ａを点線で表し、第１の連結部材１３ａ及び第２の非連結部材１４ｂとの位置関係及び導線Ｃが覆われている状態を理解し易いようにしている。
【００５１】
また図２及び図３に示すように、送風部３は、支柱部２の前後及び左右方向に回動可能に設けられている。支柱部２は、送風部３の回動角度を制御する角度制限部２１を有する。
【００５２】
詳細には、送風部３はコネクタ３３を介して支柱部２に設けられている。コネクタ３３は、支柱部２の先端が挿入する左右のコネクタ片３３ａを有する。角度制限部２１は、支柱部２の先端の左右に設けた切り欠き部２２と、この切り欠き部の端部に設けた段差部２２ａとで構成されている。コネクタ片３３ａは、送風部３の前後方向の回動時に段差部２２ａに当たる。
【００５３】
ここで角度制限部２１の詳細について、図５を用いて説明する。図５（ａ）は図３の点線部の拡大図、図５（ｂ）は送風部が前方向に回動した場合の状態、図５（ｃ）は送風部が後方向に回動した場合の状態をそれぞれ示す。
【００５４】
図５（ａ）に示すように、送風部が前後方向に回動していない場合、コネクタ片３３ａの先端は切り欠き部２２の端部に接していない。コネクタ片３３ａと切り欠き部２２の端部との距離は、例えば机に置いた場合、送風部を前後方向に傾けることで重心がずれても扇風機が転倒しない範囲がよい。
【００５５】
次に図５（ｂ）に示すように、送風部が前方向に回動した場合（矢印の向き）、コネクタ片３３ａの前側の角部が段差部２２ａに当たり、これ以上回動することはできない。これにより送風部を前方向に傾けることで重心がずれても扇風機が倒れることはない。
【００５６】
一方図５（ｃ）に示すように、送風部が後方向に回動した場合（矢印の向き）、コネクタ片３３ａの後側の角部が段差部２２ａに当たり、これ以上回動することはできない。これにより送風部を後方向に傾けることで重心がずれても扇風機が倒れることはない。
【００５７】
なおコネクタ片３３ａの形状は、送風部の回動角度の範囲に影響する。すなわちコネクタ片３３ａの前側の角部が後側の角部より上方にある形状（例えば、コネクタ片３３ａの端部が傾斜している形状。）の場合、送風部の前方向の回動角度は広がり、後方向の回動角度は狭まる。送風部３は、コネクタ３３を介して支柱部２２の先端に着脱可能にネジ止めされており、送風方向を１８０度変更可能である。左右方向の角度制限部２３は、制御部３２の下端及びコネクタ３３に回動可能に連結している。
【００５８】
また図１乃至図３に示すように、第１のクリップ片１１及び第２のクリップ片１２の外周縁には、リング状のクッション部材１６，１６が着脱自在に設けられている。クリップ部の挟持部分には、表面に滑り止めの凹凸を有する把持力強化の弾性部材１７，１７が設けられている。
【００５９】
羽カバー部３４は、表側の中央部分に芳香剤収納部３４を有する。羽カバー部３４の表側の中央部分には、着脱可能な蓋体が設けられている。芳香剤は、蓋体を開放した内側に収納されている。
【００６０】
したがって本実施形態による扇風機は、スタンド兼用のクリップ部１を構成する第１のクリップ片１１が略水平に設けられていると共に、この第１のクリップ片に対して第２のクリップ片１２が斜めに設けられ、この第２のクリップ片の上端面に支柱部２が立設していることにより、机や台などに置いても安定した起立状態を維持することができる。すなわちクリップ部１が把持するバーなどが無い場所においても、手軽に机などに置いて送風することができる。したがって例えば立ちながらキッチンで料理する主婦が棚にクリップ部で把持して使用する仕方ばかりでなく、この主婦がデスクワークや勉強するときに机などに置いて使用する仕方への切り替えが容易となる。
【００６１】
また第１のクリップ片１１が円形の筐体であることにより、机などで使用する仕方における起立時の安定性が増す。また筐体内に乾電池などの電力供給源を配置させることにより、これが重しとなってさらに安定性が増す。さらにユーザにとっては持ち易いばかりでなく、見場が良くなるスタイリッシュな形状を実現することができる。
【００６２】
また送風部３に備えたモータの駆動を制御する制御部３２が第１のクリップ片１１の内部に配置された電力供給部Ｅから電力を供給する導線Ｃは、この第１のクリップ片の内側、この第１のクリップ片及び第２のクリップ片との間に設けられ導線の配線状態を外部から見えなくする導線カバー部２１、この第２のクリップ片の内側及び支柱部２の内側に配線されていることにより、この導線が外側に配線されず見えないようにすることができる。すなわちバーなどの端部に把持して固定したり机などに置いたりするときに配線が障害となって使用する場所や仕方が制限されることはないばかりでなく、見場が良くなるスタイリッシュな形状を実現することができる。
【００６３】
また導線カバー部２１が第１の連結部１３及び第２の連結部１４で構成されており、この第１の連結部は、回動軸Ｒと連結している第１の連結部材１３ａと、この第１の連結部材とこの回動軸の長手方向に隣接し、かつこの回動軸に連結していない第１の非連結部材１３ｂとを有し、この第２の連結部は、この回動軸と連結している第２の連結部材１４ａと、この第２の連結部材とこの回動軸の長手方向に隣接し、かつこの回動軸に連結していない第２の非連結部材１４ｂとを有し、この第１の連結部材とこの第２の連結部材とは、この回動軸と連結している部分でこの回動軸の長手方向に隣接し、この第１の非連結部材とこの第２の連結部材とは、この回動軸の長手方向と直交する方向に隣接し、この第１の連結部材とこの第２の非連結部材とは、この回動軸の長手方向と直交する方向に隣接し、この第１の連結部材及びこの第２の非連結部材の内側には、導線が配線される凹溝が設けられていることにより、既設の部材を利用して導線が外側から見えないように配線することができる。すなわち第１の連結部材１３ａと第２の連結部材１４ａの表面積を活かすと共に、この第１の連結部材に隣接する第１の非連結部材１３ｂ及びこの第２の連結部材に隣接する第２の非連結部材１４ｂとでそれぞれ導線を覆うカバーを構成し、この第１の連結部材及びこの第２の非連結部材の内側に凹溝を設けて導線の通路を形成することで、最小限の部材で外側から見えないように配線通路を確保することができる。
【００６４】
また送風部３が支柱部２の前後及び左右方向に回動可能に設けられており、この支柱部がこの送風部の回動角度を制限する角度制限部２２を有することにより、送風部が前後方向に傾き過ぎることを防止することができる。すなわち送風部３の前後方向の回動により重心がずれても、バーなどを把持し切れず落下したり机上で倒れたりすることはない。したがって所望の角度から送風することができるばかりでなく、ユーザの注意力に依存しない安定した使用状態を維持できる。
【００６５】
また送風部３がコネクタ３３を介して支柱部に設けられており、このコネクタがこの支柱部の先端が挿入する左右のコネクタ片３３ａを有し、角度制限部２１がこの支柱部の先端の左右に設けた切り欠き部２２と、この切り欠き部の端部に設けた段差部２２ａとで構成され、このコネクタ片がこの送風部の前後方向の回動時にこの段差部に当たることにより、この支柱部に別の部材を設けることなくシンプルな構造でこの角度制御部を設け所望の角度から送風する構造を実現することができる。すなわち扇風機本体がバーなどを挟持し切れず落下したり机上で倒れたりしないように回動角度をユーザ自ら意識することなく、コネクタ片３３が段差部２２ａに当たるまで角度を変更することができる。
【００６６】
また第１のクリップ片１１及び第２のクリップ片１２の外周縁にリング状のクッション部材１６，１６が設けられていることにより、.それぞれのクリップ片の破損を防ぐこと
ができる。すなわち万が一扇風機本体がバーなどを把持し切れず落下したり机上で倒れたりしても、クッション部材１６，１６が落下や転倒により受ける衝撃を吸収することができる。さらにクリップ部１などとは異なる色のクッション部材を設けることにより、複数色の色合いを演出することができる。
【００６７】
またクリップ部１の挟持部分に弾性部材が設けられていることにより、挟持力を強化することができる。すなわち凹凸があったり段差があったりして把持し難い形状のバーや棚などであっても、確実に把持して落下し難いばかりでなく、このバーなどが傷付かないようにすることができる。
【００６８】
また羽カバー部３１が表側の中央部分に芳香剤収納部３４を有することにより、送風で体感温度を下げ不快感を払拭するのみならず、香りで精神的な不快感を払拭し、心身ともにリラックスさせることができる。
【００６９】
なお本実施形態における扇風機の形状や構造は一例に過ぎず、例えばクリップ部、支柱部及び送風部を有するものであって、このクリップ部がスタンド兼用で、このクリップ部のそれぞれのクリップ片が面する部分に導線カバー部が設けてあり、またこの支柱部とこの送風部とが結合する部分に前後方向の角度制限部が設けられているものであれば、この扇風機に限定されるものではなく、本発明の趣旨を逸脱しない範囲で適時変更が可能である。
【符号の説明】
【００７０】
１      クリップ部
１１    第１のクリップ片
１２    第２のクリップ片
１３    第１の連結部
１４    第２の連結部
１５    導線カバー部
１６    クッション部材
１７    弾性部材
２      支柱部
２１    角度制限部
２２    切り欠き部
２２ａ  段差部
３      送風部
３１    羽カバー部
３２    制御部
３３    コネクタ片
３４    芳香剤収納部
Ｅ      電源供給部
Ｒ      回転軸
【図１】
2013241877.tif 000003
【図２】
2013241877.tif 000004
【図３】
2013241877.tif 000005
【図４】
2013241877.tif 000006
【図５】
2013241877.tif 000007
【図６】
2013241877.tif 000008